(57)【要約】      （修正有）【課題】必要な小銭を容易に探し出し、取り出すことができる硬貨整理収納具を提供する。【解決手段】同一種類の硬貨３を複数個重ねて収納し取り出し可能な収納部１１を複数並べてなる硬貨整理収納部品１と、収納した硬貨が飛び出さない状態を保って硬貨整理収納部品を収納する開閉可能な袋２と、からなる。【選択図】図１
0003198542.tif 000002
【実用新案登録請求の範囲】
【請求項１】
同一種類の硬貨を複数個重ねて収納し取り出し可能な収納部を複数並べてなる硬貨整理収納部品と、収納した硬貨が飛び出さない状態を保って当該硬貨整理収納部品を収納する開閉可能な袋と、からなる硬貨整理収納具。
【請求項２】
硬貨整理収納部品は、前板と、後板と、底板と、左仕切り板と、右仕切り板と、からなり、上方が解放されており、内のり幅は収納する硬貨の直径よりわずかに大きく、内のり奥行きは当該硬貨の厚さの整数倍よりわずかに大きく、前板についての内のり高さは当該硬貨の半径よりわずかに大きく、かつ当該硬貨の直径より小さいことを特徴とする請求項１に記載の硬貨整理収納具。
【請求項３】
後板の内のり高さは硬貨の直径より大きく、硬貨より上に突出している部分に硬貨の種類を示す表示があることを特徴とする請求項２に記載の硬貨整理収納具。
【請求項４】
開閉可能な袋の上面にわたって、あるいは側面から上面にわたって、ジッパーが開閉自在に取り付けてあることを特徴とする請求項１から３までのいずれか１つに記載の硬貨整理収納具。
【考案の詳細な説明】
【技術分野】
【０００１】
本考案は、１円硬貨、５円硬貨、１０円硬貨、５０円硬貨、１００円硬貨、５００円硬貨を整理して収納する硬貨整理収納具に関する。
【背景技術】
【０００２】
従来、一般人が出かける際には、硬貨を整理しないで、ごちゃ混ぜに、財布の中に収納したり、服またはズボンのポケットやハンドバッグに入れていた。  
【０００３】
また、家の中や自家用車の中において、小銭を整理しないで、ごちゃ混ぜにして放置していることが多い。
【考案の開示】
【考案が解決しようとする課題】
【０００４】
商品や食事の代金を支払う際に、小銭を探し出すのに時間がかかり支払いが遅くなり問題である。特に、有料道路の清算所で、小銭を探すのに手こずると、後続車のドライバーがいらいらし、車の長い列ができ渋滞の原因となり大きな問題である。  
【課題を解決するための手段】
【０００５】
上記の問題点は、請求項１に記載の本考案に係る硬貨整理収納具、すなわち、同一種類の硬貨を複数個重ねて収納し取り出し可能な収納部を複数並べてなる硬貨整理収納部品と、収納した硬貨が飛び出さない状態を保って当該硬貨整理収納部品を収納する開閉可能な袋と、からなる硬貨整理収納具によって解決される。
【０００６】
各硬貨整理収納部品には、例えば１００円硬貨を複数枚重ねて収納し、必要に応じて、収納されている１００円硬貨を取り出すことができる。このほかに、１円硬貨を収納するための収納部、５円硬貨を収納するための収納部、１０円硬貨を収納するための収納部、５０円硬貨を収納するための収納部、５００円硬貨を収納するための収納部を用意しても良い。
【０００７】
これらの収納部は、一体として製造されても良いし、あるいは別々のものとして製造されてもよい。別々のものとして製造された場合には、全部あるいは一部について、相互に結合されても良い。
【０００８】
収納部間の結合方法は、特に限定はなく、公知の結合方法、例えば、接着材を用いた面の固着、辺の固着や枢軸を用いた回転可能な結合、フック、鎖、紐を用いた結合、ゴムを用いた距離可変の結合などがある。
【０００９】
収納部を複数個並べて開閉可能な袋の中に収納される。硬貨整理収納部品が開閉可能な袋に収納された後に当該袋は閉じられる。また、硬貨整理収納部品を当該袋から取り出す時には、当該袋を開く。
【００１０】
請求項２に記載の本考案に係る硬貨整理収納具において、収納部は、前板と、後板と、底板と、左仕切り板と、右仕切り板と、からなり、上方が解放されており、内のり幅は収納する硬貨の直径よりわずかに大きく、内のり奥行きは当該硬貨の厚さの整数倍よりわずかに大きく、前板についての内のり高さは当該硬貨の半径よりわずかに大きく、かつ当該硬貨の直径より小さいことを特徴とする。  
【００１１】
底板を下方に向け水平に配置すると、前板と、後板と、底板と、左仕切り板と、右仕切り板とによって囲まれているので、本考案の硬貨整理収納部品の収納部には、同一種類の硬貨を垂直に並べ重ねて収納することができるとともに、上方から指で挟んで硬貨を１枚ずつ取り出すことができる。
【００１２】
請求項３に記載の本考案に係る硬貨整理収納具の収納部において、後板の内のり高さは硬貨の直径より大きく、硬貨より上に突出している部分に硬貨の種類を示す表示があることを特徴とする。
【００１３】
後板高さは硬貨の直径より大きいので、後板の上部は硬貨より上に突出している。そして、硬貨より上に突出している部分に硬貨の種類を示す表示、例えば１円、５円、１０円、５０円、１００円、５００円、がある。後板は曲げることができる材料でできていても良い。曲げることができると、重ねる硬貨の枚数が多い時には後板を外側に曲げて倒し、逆に、少ない時には後板を内側に曲げて織り込むとストッパーとして機能し硬貨の飛び出しを防ぐことができる。
【００１４】
請求項４に記載の本考案に係る硬貨整理収納具において、開閉可能な袋の上面にわたって、あるいは側面から上面にわたって、ジッパーが開閉自在に取り付けてある。
【考案の効果】
【００１５】
硬貨整理収納部品の収納部に、同一種類の硬貨を重ねて収納し取り出すことができるので、硬貨を整理しやすく、硬貨を見つけ出しやすく、必要な硬貨をすばやく取り出すことができる。言い換えれば、小銭を機能的に収納することによって、次のような場面において、スマートな支払いを可能にすることができる。
１）  スーパー、コンビニ等のレジ支払い
２）  レストラン等の支払い
３）  自宅での宅配便着払い
４）  自家用車での高速道路料金の現金払い、駐車料金の現金払い
５）  自動販売機での硬貨投入
６）  コインランドリーでの支払い
７）  駅のキップ販売機での支払い
８）  バスでの料金の支払い
【００１６】
硬貨整理収納部品の収納部に硬貨を重ねて収納し、さらに、このような硬貨整理収納部品を開閉自在な袋の中に収納しているので、硬貨の下方は硬貨整理収納部品の収納部の前板と、後板と、底板と、左仕切り板と、右仕切り板とによって囲まれるとともに、硬貨の上方は開閉自在な袋の内面によって囲まれるため、硬貨が飛び出すことがない。そのため、硬貨を整理した状態を保ったまま簡単に硬貨を持ち運ぶことができる。
【００１７】
複数の収納部を並べて硬貨整理収納部品とし、この硬貨整理収納部品を開閉自在の袋に入れて成るので、手の小さい人でも本考案の硬貨整理収納具をしっかりとつかんで開閉することができる。
【００１８】
ご高齢の方でもわかりやすく使うことができ、スマートな支払いができる。
【００１９】
カードや大金を持ち運ばずに、小銭だけを整理した状態を保って持ってゆくことができるので、近場の買い物に便利である。
【００２０】
見た目もシンプルでスタイリッシュである。
【考案を実施するための形態】
【００２１】
以下、本考案の実施形態について、添付の図面を参照して説明する。
【実施例】
【００２２】
図１は本考案に係る硬貨整理収納具の実施態様の斜視図であり、（ａ）は第１実施態様であり、（ｂ）は第２実施態様である。
【００２３】
図１（ａ）及び（ｂ）に示すように、６つの収納部１１が長手方向に一列に並べて配置され、硬貨整理収納部品１をなしている。そして、硬貨整理収納部品１は開閉自在な袋２に互いの長手方向が一致するように収納されている。開閉自在な袋２の上面にはジッパー２１が開閉自在に取り付けられている。ジッパーの後端側の側面近くに把手２２が取り付けられている。この把手２２を手でつかむ、あるいは把手２２に手を通す、あるいは、把手２２に紐を通して首からぶら下げることによって、実施態様の硬貨整理収納具を簡単に持ち運ぶことができるとともに、置き忘れることが起きにくくなる。
【００２４】
硬貨の収納方法は、図１（ａ）においては、硬貨３の上面及び下面を垂直にし、長手方向に平行にして、硬貨３は重ねて収納部１１の中に収納されている。他方、図１（ｂ）においては、硬貨３の上面及び下面を垂直にし、長手方向に垂直にして、硬貨３は重ねて収納部１１の中に収納されている。
【００２５】
図２は本考案の硬貨整理収納具の実施態様における硬貨整理収納部品の斜視図である。
【００２６】
図２（ａ）は、前板１１ａ、後板１１ｂ、底板１１ｃ、側板１１ｄによって下方を囲まれ、上方は開放されている１つの収納部１１を示している。内のり幅は左右の則板１１ｄの間の距離であるが、硬貨の直径よりわずかに大きい。内のり奥行きは前板１１ａと後板１１ｂとの間の距離であるが、硬貨の厚さの整数倍よりわずかに大きい。例えば、１００円硬貨の厚さの５倍よりわずがに大きい。また、前板１１ａについての内のり高さは硬貨の半径よりわずかに大きく、直径より小さい。
【００２７】
図２（ｂ）は（ａ）の収納部１１を６つ一列に並べてなる硬貨整理収納部品である。収納部１１は別々のものとして製造されている。隣り合った収納部１１は結合、接合、嵌合されていても良い。例えば、側板１１ｄの外面に突出部あるいは凹部を設けて、上方から挿入して嵌合すれば、結合・分離が自在となる。
【００２８】
図２（ｃ）は６つの収納部が一列に並ぶように一体として製造されている。前板１１ａの外面に収納部ごとに、「１」、「５」、「１０」、「５０」、「１００」、「５００」の表示が付されている。それぞれの収納部に、１円硬貨、５円硬貨、１０円硬貨、５０円硬貨、１００円硬貨、５００円硬貨を重ねて整理収納することができ、素早く簡単に硬貨を取り出すことができるので、スマートに支払いをすることができる。
【００２９】
図２（ｄ）も６つの収納部が一列に並ぶように一体として製造されているが、後板１１ｂの内のり高さが硬貨の直径より大きく、硬貨を収納した時に硬貨の上端より上に突出する。この突出した部分に「１」、「５」、「１０」、「５０」、「１００」、「５００」の表示が付されている。後板は曲げることができる材料、例えば柔軟なプラスティックやゴム、でできていても良い。曲げることができると、重ねる硬貨の枚数が多い時には後板を外側に曲げて倒し、逆に、少ない時には後板を内側に曲げて織り込むとストッパーとして機能し硬貨の飛び出しを防ぐことができる。
【００３０】
図３は本考案の硬貨整理収納具の実施態様における開閉可能な袋の展開図である。
【００３１】
図３（ａ）に示す実施例においては、１枚の大きな長方形の部材２３と２枚のほぼ台形の部材２４である。折り線２３ｄ、２３ｅに沿って曲げ、底面２３ｂ、前面２３ｇ、後面２３ｆを形成し、ほぼ台形の部材２４の側辺２４ｃと縫い合わせ、大きな長方形の部材２３の辺２３ａと辺２３ｃとほぼ台形の部材２４の上辺２４ａと上辺２４ａに囲まれた上面に不図示のジッパーを取り付けて開閉可能な袋が製造される。
【００３２】
これらの部材の材料として、シート状の皮、布、ビニール、プラスティック、ゴムを用いることができる。透明あるいは半透明の材料を用いると、内部に収納されている硬貨整理収納部品や硬貨を外から見て確認することができ、便利である。
【００３３】
図３（ｂ）に示す実施例においては、長方形の部材２５のみを用いる。底面２５ｂの境の折り線２５ｄ、２５ｅの延長線に切り込み２５ｈ、２５ｉ、２５ｊ、２５ｋを設けている。切り込み２５ｈ、２５ｉ、２５ｊ、２５ｋに直角に破線で示す折り線を設け、これにより、底面２５ｂ、前面２５ｇ、後面２５ｆ、曲げ面２５ｍ、２５ｎ、側面２５ｏ、２５ｐ、２５ｑ、２５ｒを形成し、曲げ面２５ｍの外に側面２５ｏと側面２５ｑを重ね、縫い付ける。同様に、曲げ面２５ｎの外に側面２５ｐと側面２５ｒを重ね、縫い付ける。そして、側面の上端と上辺２５ａ、２５ｃとによって囲まれる上面にジッパーを取り付けて開閉自在の袋を製造する。
【００３４】
側面の下辺の寸法よりも上辺の寸法を大きくすると、硬貨整理収納部品の出し入れや硬貨の収納・取り出しが容易となる。上辺の寸法を下辺の寸法の２倍とするのが望ましい。
【図面の簡単な説明】
【００３５】
【図１】本考案に係る硬貨整理収納具の実施態様の斜視図である。
【図２】本考案の硬貨整理収納具の実施態様における硬貨整理収納部品の斜視図である。
【図３】本考案の硬貨整理収納具の実施態様における開閉可能な袋の展開図である。
【符号の説明】
【００３６】
１    硬貨整理収納部品
１１  収納部
１１ａ  前板
１１ｂ  後板
１１ｃ  底板
１１ｄ  側板
２    開閉自在な袋
２１  ジッパー
２２  把手
２３  部材
２３ａ  辺
２３ｂ  底面
２３ｃ  辺
２３ｄ  折り線
２３ｅ  折り線
２３ｆ  後面
２３ｇ  前面
２３Ｌ  中央線
２４  ほぼ台形の部材
２４ａ  上辺
２４ｂ  下辺
２４ｃ  側辺
２５    長方形の部材
２５ａ  上辺
２５ｂ  底面
２５ｃ  上辺
２５ｄ  折り線
２５ｅ  折り線
２５ｆ  後面
２５ｇ  前面
２５ｈ  切り込み
２５ｉ  切り込み
２５ｊ  切り込み
２５ｋ  切り込み
２５ｍ  曲げ面
２５ｎ  曲げ面
２５ｏ  側面
２５ｐ  側面
２５ｑ  側面
２５ｒ  側面
２５Ｌ  中央線
３      硬貨
【図１】
0003198542.tif 000003
【図２】
0003198542.tif 000004
【図３】
0003198542.tif 000005